(57)【要約】【課題】インダクタに対する小型化の要求に応えつつ、インダクタンス値を増大させる。【解決手段】第一磁性体コア２は、第一鍔部２１と芯部２３を有している。芯部２３の一端は、第一鍔部２１の内側面２１ａに配置されている。第二磁性体コア３の第一部分３ａは、第一鍔部２１の上面２１ｂに接合されている。第一導電端子５は、第一鍔部２１に装着されている。第一導電端子５は、第一部分５１と第二部分５２を有している。第一部分５１は、第一鍔部２１の外側面２１ｃに配置されている。第二部分５２は、第一鍔部２１の前面２１ｄに配置されている。芯部２３に巻き回されて第一コイル４を形成する導線の一端部は、第二部分５２と接合されている。【選択図】図１
2016076593.tif 000002
【特許請求の範囲】
【請求項１】
第一鍔部、第二鍔部、および前記第一鍔部と前記第二鍔部の間に配置された芯部を有している第一磁性体コアと、
前記芯部に巻き回された第一導線と、
第二磁性体コアと、
前記第一鍔部に装着されている第一導電端子と、
前記第二鍔部に装着されている第二導電端子と、
を備えており、
前記第一鍔部は、
前記芯部の第一端部が配置される第一面と、
前記第二磁性体コアの第一部分が接合される第二面と、
を有しており、
前記第二鍔部は、
前記芯部の第二端部が配置される第一面と、
前記第二磁性体コアの第二部分が接合される第二面と、
を有しており、
前記第一導電端子は、
前記第一鍔部の前記第一面および前記第一鍔部の前記第二面とは異なる前記第一鍔部の第三面に配置されている第一部分と、
前記第一鍔部の前記第一面、前記第一鍔部の前記第二面、および前記第一鍔部の前記第三面とは異なる前記第一鍔部の第四面に配置され、前記第一導線の第一端部が接合される第二部分と、
を有しており、
前記第二導電端子は、
前記第二鍔部の前記第一面および前記第二鍔部の前記第二面とは異なる前記第二鍔部の第三面に配置されている第一部分と、
前記第二鍔部の前記第一面、前記第二鍔部の前記第二面、および前記第二鍔部の前記第三面とは異なる前記第二鍔部の第四面に配置され、前記第一導線の第二端部が接合される第二部分と、
を有している、
インダクタ。
【請求項２】
前記第一導電端子の前記第二部分は、前記第一鍔部の前記第四面に形成された凹部内に配置されており、
前記第二導電端子の前記第二部分は、前記第二鍔部の前記第四面に形成された凹部内に配置されている、
請求項１に記載のインダクタ。
【請求項３】
前記第一鍔部の前記第四面は、前記第一鍔部の前記第三面より前記第一鍔部の前記第一面に近く、
前記第二鍔部の前記第四面は、前記第二鍔部の前記第三面より前記第二鍔部の前記第一面に近い、
請求項１または２に記載のインダクタ。
【請求項４】
前記第一導電端子は、前記第一鍔部の前記第一面、前記第一鍔部の前記第二面、前記第一鍔部の前記第三面、前記第一鍔部の第四面とは異なる前記第一鍔部の第五面に配置されている第三部分を有しており、
前記第二導電端子は、前記第二鍔部の前記第一面、前記第二鍔部の前記第二面、前記第二鍔部の前記第三面、前記第二鍔部の第四面とは異なる前記第二鍔部の第五面に配置されている第三部分を有している、
請求項１から３のいずれか一項に記載のインダクタ。
【請求項５】
前記芯部に巻き回された第二導線と、
前記第一鍔部に装着されている第三導電端子と、
前記第二鍔部に装着されている第四導電端子と、
を備えており、
前記第三導電端子は、
前記第一鍔部の前記第三面に配置されている第一部分と、
前記第一鍔部の前記第一面、前記第一鍔部の前記第二面、前記第一鍔部の前記第三面、および前記第一鍔部の第四面とは異なる前記第一鍔部の第六面に配置され、前記第二導線の第一端部が接合される第二部分と、
を有しており、
前記第四導電端子は、
前記第二鍔部の前記第三面に配置されている第一部分と、
前記第二鍔部の前記第一面、前記第二鍔部の前記第二面、前記第二鍔部の前記第三面、および前記第二鍔部の第四面とは異なる前記第二鍔部の第六面に配置され、前記第二導線の第二端部が接合される第二部分と、
を有している、
請求項１から４のいずれか一項に記載のインダクタ。
【発明の詳細な説明】
【技術分野】
【０００１】
本発明は、インダクタに関する。
【背景技術】
【０００２】
第一磁性体コアと第二磁性体コアを備えているインダクタが知られている（例えば、特許文献１を参照）。第一磁性体コアは、第一鍔部、第二鍔部、および芯部を有している。芯部は、第一鍔部と第二鍔部の間に配置されており、導線が巻き回されている。第二磁性体コアは、第一部分と第二部分を有している。第一部分は、第一鍔部の上面に接合されている。第二部分は、第二鍔部の上面に接合されている。当該インダクタは、第一導電端子と第二導電端子を備えている。第一導電端子は、第一鍔部に装着されている。第二導電端子は、第二鍔部に装着されている。導線の一端部は、第一導電端子と電気的に接続されている。導線の他端部は、第二導電端子と電気的に接続されている。
【０００３】
第一導電端子と第二導電端子は、それぞれ第一挟持部と第二挟持部を有している。第一導電端子は、第一鍔部が第一挟持部および第二挟持部の間に挟持されるように装着される。第一導電端子の第一挟持部は、第一鍔部の上面側に配置される。第一導電端子の第二挟持部は、第一鍔部の下面側に配置される。第二導電端子は、第二鍔部が第一挟持部および第二挟持部の間に挟持されるように装着される。第二導電端子の第一挟持部は、第二鍔部の上面側に配置される。第二導電端子の第二挟持部は、第二鍔部の下面側に配置される。
【先行技術文献】
【特許文献】
【０００４】
【特許文献１】特開２００６−００４９８９号公報
【発明の概要】
【発明が解決しようとする課題】
【０００５】
第二磁性体コアは、閉磁路を形成してインダクタンス値を増大させるために設けられている。第一磁性体コアと第二磁性体コアの接合面積が大きいほど、インダクタンス値の増大効果は高い。しかしながら、第一鍔部の上面のうち、第二磁性体コアとの接触に供される部分は、第一導電端子の第一挟持部が配置される部分を避けて形成する必要がある。同様に、第二鍔部の上面のうち、第二磁性体コアとの接触に供される部分は、第二導電端子の第一挟持部が配置される部分を避けて形成する必要がある。そのため、特にインダクタンスに対する小型化が要求されている状況において、第二磁性体コアとの十分な接合面積の確保、すなわちインダクタンス値を増大させることが困難である。
【０００６】
よって、本発明は、インダクタに対する小型化の要求に応えつつ、インダクタンス値を増大させることを目的とする。
【課題を解決するための手段】
【０００７】
上記の目的を達成するために、本発明がとりうる一態様は、インダクタであって、
第一鍔部、第二鍔部、および前記第一鍔部と前記第二鍔部の間に配置された芯部を有している第一磁性体コアと、
前記芯部に巻き回された第一導線と、
第二磁性体コアと、
前記第一鍔部に装着されている第一導電端子と、
前記第二鍔部に装着されている第二導電端子と、
を備えており、
前記第一鍔部は、
前記芯部の第一端部が配置される第一面と、
前記第二磁性体コアの第一部分が接合される第二面と、
を有しており、
前記第二鍔部は、
前記芯部の第二端部が配置される第一面と、
前記第二磁性体コアの第二部分が接合される第二面と、
を有しており、
前記第一導電端子は、
前記第一鍔部の前記第一面および前記第一鍔部の前記第二面とは異なる前記第一鍔部の第三面に配置されている第一部分と、
前記第一鍔部の前記第一面、前記第一鍔部の前記第二面、および前記第一鍔部の前記第三面とは異なる前記第一鍔部の第四面に配置され、前記第一導線の第一端部が接合される第二部分と、
を有しており、
前記第二導電端子は、
前記第二鍔部の前記第一面および前記第二鍔部の前記第二面とは異なる前記第二鍔部の第三面に配置されている第一部分と、
前記第二鍔部の前記第一面、前記第二鍔部の前記第二面、および前記第二鍔部の前記第三面とは異なる前記第二鍔部の第四面に配置され、前記第一導線の第二端部が接合される第二部分と、
を有している。
【０００８】
このような構成によれば、第一導線の第一端部が接合される第一導電端子の第二部分は、第一磁性体コアの芯部の第一端部が配置される第一鍔部の第一面、および第二磁性体コアの第一部分が接合される第一鍔部の第二面を避けるように配置される。また、第一導線の第二端部が接合される第二導電端子の第二部分は、第一磁性体コアの芯部の第二端部が配置される第二鍔部の第一面、および第二磁性体コアの第二部分が接合される第二鍔部の第二面を避けるように配置される。これにより、第一鍔部の第二面と第二鍔部の第二面の全体を第二磁性体コアとの接合に利用でき、第一磁性体コアと第二磁性体コアとの接合面積が増大する。したがって、インダクタに対する小型化の要求に応えつつ、インダクタンス値を増大させることが可能である。
【０００９】
また、第一導電端子の第二部分と第二導電端子の第二部分は、第二磁性体コアおよび第一導線に対向する領域を避けるように配置される。そのため、第一導線との接合に供される領域を広く確保できる。これにより、接合作業性が向上するのみならず、外部からの荷重に対する強度が向上する。したがって、インダクタの信頼性を向上できる。
【００１０】
上記のインダクタは、下記のように構成されうる。
前記第一導電端子の前記第二部分は、前記第一鍔部の前記第四面に形成された凹部内に配置されており、
前記第二導電端子の前記第二部分は、前記第二鍔部の前記第四面に形成された凹部内に配置されている。
【００１１】
このような構成によれば、第一導線との接合に供される第一導電端子の第二部分と第二導電端子の第二部分は、第一鍔部の前面および第二鍔部の前面より凹んだ位置に配置される。これにより、外部からの荷重が第一導線との接合部に直接加わる可能性を低減できる。したがって、インダクタに対する小型化の要求に応えつつインダクタンス値を増大させることが可能な配置を採用しながらも、外部からの荷重に対するインダクタの信頼性をより向上できる。
【００１２】
上記のインダクタは、以下のように構成されうる。
前記第一鍔部の前記第四面は、前記第一鍔部の前記第三面より前記第一鍔部の前記第一面に近く、
前記第二鍔部の前記第四面は、前記第二鍔部の前記第三面より前記第二鍔部の前記第一面に近い。
【００１３】
このような構成によれば、第一導電端子の第二部分と第二導電端子の第二部分が、第一導線により近い位置に配置される。したがって、インダクタに対する小型化の要求に応えつつインダクタンス値を増大させることが可能な配置を採用しながらも、第一導線との接合作業を容易にできる。
【００１４】
上記のインダクタは、以下のように構成されうる。
前記第一導電端子は、前記第一鍔部の前記第一面、前記第一鍔部の前記第二面、前記第一鍔部の前記第三面、前記第一鍔部の第四面とは異なる前記第一鍔部の第五面に配置されている第三部分を有しており、
前記第二導電端子は、前記第二鍔部の前記第一面、前記第二鍔部の前記第二面、前記第二鍔部の前記第三面、前記第二鍔部の第四面とは異なる前記第二鍔部の第五面に配置されている第三部分を有している。
【００１５】
このような構成によれば、第一導電端子と第二導電端子は、第一磁性体コアの第一鍔部と第二鍔部に対して、それぞれ３つの面を介して固定される。これにより、第一導電端子と第二導電端子の位置決め精度が向上するのみならず、外部からの荷重に対する剛性が向上する。したがって、インダクタに対する小型化の要求に応えつつインダクタンス値を増大させることが可能な配置を採用しながらも、外部からの荷重に対するインダクタの信頼性をより向上できる。
【００１６】
上記のインダクタは、以下のように構成されうる。
前記芯部に巻き回された第二導線と、
前記第一鍔部に装着されている第三導電端子と、
前記第二鍔部に装着されている第四導電端子と、
を備えており、
前記第三導電端子は、
前記第一鍔部の前記第三面に配置されている第一部分と、
前記第一鍔部の前記第一面、前記第一鍔部の前記第二面、前記第一鍔部の前記第三面、および前記第一鍔部の第四面とは異なる前記第一鍔部の第六面に配置され、前記第二導線の第一端部が接合される第二部分と、
を有しており、
前記第四導電端子は、
前記第二鍔部の前記第三面に配置されている第一部分と、
前記第二鍔部の前記第一面、前記第二鍔部の前記第二面、前記第二鍔部の前記第三面、および前記第二鍔部の第四面とは異なる前記第二鍔部の第六面に配置され、前記第二導線の第二端部が接合される第二部分と、
を有している。
【００１７】
このような構成によれば、インダクタはコモンモードチョークコイル機能を有する。第二導線の第一端部が接合される第三導電端子の第二部分は、第一磁性体コアの芯部の第一端部が配置される第一鍔部の第一面、および第二磁性体コアの第一部分が接合される第一鍔部の第二面を避けるように配置される。また、第二導線の第二端部が接合される第四導電端子の第二部分は、第一磁性体コアの芯部の第二端部が配置される第二鍔部の第一面、および第二磁性体コアの第二部分が接合される第二鍔部の第二面を避けるように配置される。これにより、第一鍔部の第二面と第二鍔部の第二面の全体を第二磁性体コアとの接合に利用でき、第一磁性体コアと第二磁性体コアとの接合面積が増大する。したがって、コモンモードチョークコイル機能を有するインダクタに対する小型化の要求に応えつつ、インダクタンス値を増大させることが可能である。
【００１８】
また、第三導電端子の第二部分と第四導電端子の第二部分は、第二磁性体コアおよび第二導線に対向する領域を避けるように配置される。そのため、第二導線との接合に供される領域を広く確保できる。これにより、接合作業性が向上するのみならず、外部からの荷重に対する強度が向上する。したがって、コモンモードチョークコイル機能を有するインダクタの信頼性を向上できる。
【発明の効果】
【００１９】
本発明によれば、インダクタに対する小型化の要求に応えつつ、インダクタンス値を増大させることが可能である。
【図面の簡単な説明】
【００２０】
【図１】一実施形態に係るインダクタを示す斜視図である。
【図２】上記インダクタの外観を示す六面図である。
【図３】上記インダクタが備える第一から第四導電端子を示す斜視図である。
【図４】上記第一導電端子の外観を示す六面図である。
【図５】上記インダクタが備える第一磁性体コアを示す斜視図である。
【図６】上記インダクタの外観を示す斜視図である。
【図７】上記インダクタが備える第一磁性体コアを示す斜視図である。
【発明を実施するための形態】
【００２１】
添付の図面を参照しつつ、本発明に係る実施形態の例について以下詳細に説明する。なお以下の説明に用いる各図面では、各部材を認識可能な大きさとするために縮尺を適宜変更している。また「前後」「左右」「上下」という表現は、説明の便宜のために用いるものであり、実際の使用状態における姿勢や方向を限定するものではない。
【００２２】
図１の（ａ）は、一実施形態に係るインダクタ１を左前方から見た外観を示す斜視図である。図１の（ｂ）は、図１の（ａ）における線ＩＢ−ＩＢに沿う断面を示す斜視図である。図１の（ｃ）は、インダクタ１を右前方から見た外観を示す斜視図である。図２の（ａ）は、インダクタ１の外観を示す正面図である。図２の（ｂ）は、インダクタ１の外観を示す上面図である。図２の（ｃ）は、インダクタ１の外観を示す背面図である。図２の（ｄ）は、インダクタ１の外観を示す底面図である、図２の（ｅ）は、インダクタ１の外観を示す左側面図である。図２の（ｆ）は、インダクタ１の外観を示す右側面図である。
【００２３】
インダクタ１は、第一磁性体コア２を備えている。第一磁性体コア２は、第一鍔部２１、第二鍔部２２、および芯部２３を有している。芯部２３は、第一鍔部２１と第二鍔部２２の間に配置されている。第一鍔部２１は、芯部２３の第一端部が配置される内側面２１ａ（第一鍔部の第一面の一例）を有している。第二鍔部２２は、芯部２３の第二端部が配置される内側面２２ａ（第二鍔部の第一面の一例）を有している。
【００２４】
インダクタ１は、第二磁性体コア３を備えている。第二磁性体コア３は、第一磁性体コア２の第一鍔部２１および第二鍔部２２と接合されている。すなわち、第一鍔部２１は、第二磁性体コア３の第一部分３ａが接合される上面２１ｂ（第一鍔部の第二面の一例）を有している。また、第二鍔部２２は、第二磁性体コア３の第二部分３ｂが接合される上面２２ｂ（第二鍔部の第二面の一例）を有している。第一磁性体コア２と第二磁性体コア３の接合は、接着剤や溶着によりなされる。
【００２５】
インダクタ１は、第一コイル４を備えている。第一コイル４は、第一導線が第一磁性体コア２の芯部２３に巻き回されることにより形成されている。
【００２６】
インダクタ１は、第一導電端子５を備えている。第一導電端子５は、第一磁性体コア２の第一鍔部２１に装着されている。第一導電端子５の第一鍔部２１への装着は、接着や溶着によりなされる。第一導電端子５は、第一部分５１と第二部分５２を有している。第一導電端子５の第一部分５１は、第一鍔部２１の外側面２１ｃ（第一鍔部の第三面の一例）に配置されている。第一導電端子５の第二部分５２は、第一鍔部２１の前面２１ｄ（第一鍔部の第四面の一例）に配置されている。図示を省略するが、第一コイル４を形成する第一導線の第一端部は、第二部分５２に接合されている。接合は、はんだ付けや溶接により行なわれる。これにより、第一導線の第一端部は、第一導電端子５と電気的に接続されている。
【００２７】
すなわち、第一導線の第一端部が接合される第一導電端子５の第二部分５２は、第一磁性体コア２の芯部２３の第一端部が配置される第一鍔部２１の内側面２１ａ、および第二磁性体コア３の第一部分３ａが接合される第一鍔部２１の上面２１ｂを避けるように配置されている。これにより、上面２１ｂ全体を第二磁性体コア３の第一部分３ａとの接合に利用でき、第一鍔部２１と第二磁性体コア３との接合面積が増大する。したがって、インダクタ１に対する小型化の要求に応えつつ、インダクタンス値を増大させることが可能である。また、第一導電端子５の第二部分５２は、第二磁性体コア３および第一コイル４に対向する領域を避けるように配置されている。そのため、第一導線の第一端部との接合に供される領域を広く確保できる。これにより、接合作業性が向上するのみならず、外部からの荷重に対する強度が向上する。したがって、インダクタ１の信頼性を向上できる。
【００２８】
インダクタ１は、第二導電端子６を備えている。第二導電端子６は、第一磁性体コア２の第二鍔部２２に装着されている。第二導電端子６の第二鍔部２２への装着は、接着や溶着によりなされる。第二導電端子６は、第一部分６１と第二部分６２を有している。第二導電端子６の第一部分６１は、第二鍔部２２の外側面２２ｃ（第二鍔部の第三面の一例）に配置されている。第二導電端子６の第二部分６２は、第二鍔部２２の前面２２ｄ（第二鍔部の第四面の一例）に配置されている。図示を省略するが、第一コイル４を形成する第一導線の第二端部は、第二部分６２に接合されている。接合は、はんだ付けや溶接により行なわれる。これにより、第一導線の第二端部は、第二導電端子６と電気的に接続されている。
【００２９】
すなわち、第一導線の第二端部が接合される第二導電端子６の第二部分６２は、第一磁性体コア２の芯部２３の第二端部が配置される第二鍔部２２の内側面２２ａ、および第二磁性体コア３の第二部分３ｂが接合される第二鍔部２２の上面２２ｂを避けるように配置されている。これにより、上面２２ｂ全体を第二磁性体コア３の第二部分３ｂとの接合に利用でき、第二鍔部２２と第二磁性体コア３との接合面積が増大する。したがって、インダクタ１に対する小型化の要求に応えつつ、インダクタンス値を増大させることが可能である。また、第二導電端子６の第二部分６２は、第二磁性体コア３および第一コイル４に対向する領域を避けるように配置されている。そのため、第一導線の第二端部との接合に供される領域を広く確保できる。これにより、接合作業性が向上するのみならず、外部からの荷重に対する強度が向上する。したがって、インダクタ１の信頼性を向上できる。
【００３０】
図３の（ａ）は、第一導電端子５の外観を示す斜視図である。図４の（ａ）は、第一導電端子５の外観を示す正面図である。図４の（ｂ）は、第一導電端子５の外観を示す上面図である。図４の（ｃ）は、第一導電端子５の外観を示す背面図である。図４の（ｄ）は、第一導電端子５の外観を示す底面図である、図４の（ｅ）は、第一導電端子５の外観を示す左側面図である。図４の（ｆ）は、第一導電端子５の外観を示す右側面図である。
【００３１】
第一導電端子５の第一部分５１は、上下方向に延びている。第一導電端子５の第二部分５２は、第一部分５１から右方に延びている。第二部分５２の先端部５２ａは、第二部分５２の基端部５２ｂよりも上下方向について大きな寸法を有する部分を含んでいる。
【００３２】
図５の（ａ）は、第一導電端子５が装着されていない状態の第一磁性体コア２を、左前方から見た外観を示す斜視図である。第一鍔部２１の前面２１ｄは、凹部２１ｄ１を有している。図１の（ａ）に示すように、第一導電端子５が第一鍔部２１に装着されたとき、第一導電端子５の第二部分５２は、凹部２１ｄ１内に配置されている。
【００３３】
このような構成によれば、第一導線の第一端部との接合に供される第一導電端子５の第二部分５２は、第一鍔部２１の前面２１ｄより凹んだ位置に配置される。これにより、外部からの荷重が第一導線の第一端部との接合部に直接加わる可能性を低減できる。したがって、インダクタ１に対する小型化の要求に応えつつインダクタンス値を増大させることが可能な配置を採用しながらも、外部からの荷重に対するインダクタ１の信頼性をより向上できる。
【００３４】
図３の（ｂ）は、第二導電端子６の外観を示す斜視図である。第二導電端子６は、第一導電端子５と対称な形状を有しているため、六面図の図示は省略する。
【００３５】
第二導電端子６の第一部分６１は、上下方向に延びている。第二導電端子６の第二部分６２は、第一部分６１から左方に延びている。第二部分６２の先端部６２ａは、第二部分６２の基端部６２ｂよりも上下方向について大きな寸法を有する部分を含んでいる。
【００３６】
図５の（ｂ）は、第二導電端子６が装着されていない状態の第一磁性体コア２を、右前方から見た外観を示す斜視図である。第二鍔部２２の前面２２ｄは、凹部２２ｄ１を有している。図１の（ｃ）に示すように、第二導電端子６が第二鍔部２２に装着されたとき、第二導電端子６の第二部分６２は、凹部２２ｄ１内に配置されている。
【００３７】
このような構成によれば、第一導線の第二端部との接合に供される第二導電端子６の第二部分６２は、第二鍔部２２の前面２２ｄより凹んだ位置に配置される。これにより、外部からの荷重が第一導線の第二端部との接合部に直接加わる可能性を低減できる。したがって、インダクタ１に対する小型化の要求に応えつつインダクタンス値を増大させることが可能な配置を採用しながらも、外部からの荷重に対するインダクタ１の信頼性をより向上できる。
【００３８】
図３の（ａ）に示すように、第一導電端子５は、第三部分５３を有している。図１の（ａ）に示すように、第一導電端子５の第三部分５３は、第一磁性体コア２における第一鍔部２１の下面２１ｅ（第一鍔部の第五面の一例）に配置されている。
【００３９】
このような構成によれば、第一導電端子５は、第一磁性体コア２の第一鍔部２１に対して３つの面を介して固定される。これにより、第一導電端子５の位置決め精度が向上するのみならず、外部からの荷重に対する剛性が向上する。したがって、インダクタ１に対する小型化の要求に応えつつインダクタンス値を増大させることが可能な配置を採用しながらも、外部からの荷重に対するインダクタ１の信頼性をより向上できる。
【００４０】
図３の（ｂ）に示すように、第二導電端子６は、第三部分６３を有している。図１の（ｃ）に示すように、第二導電端子６の第三部分６３は、第一磁性体コア２における第二鍔部２２の下面２２ｅ（第二鍔部の第五面の一例）に配置されている。
【００４１】
このような構成によれば、第二導電端子６は、第一磁性体コア２の第二鍔部２２に対して３つの面を介して固定される。これにより、第二導電端子６の位置決め精度が向上するのみならず、外部からの荷重に対する剛性が向上する。したがって、インダクタ１に対する小型化の要求に応えつつインダクタンス値を増大させることが可能な配置を採用しながらも、外部からの荷重に対するインダクタ１の信頼性をより向上できる。
【００４２】
図１の（ｂ）に示すように、インダクタ１は、第二コイル７を備えている。第二コイル７は、第二導線が第一磁性体コア２の芯部２３に巻き回されることにより形成されている。第二コイル７は、芯部２３の径方向における第一コイル４の内方に形成されている。これにより、インダクタ１は、コモンモードチョークコイル機能を有している。
【００４３】
図６の（ａ）は、インダクタ１を左後方から見た外観を示す斜視図である。第三導電端子８は、第一磁性体コア２の第一鍔部２１に装着されている。第三導電端子８の第一鍔部２１への装着は、接着や溶着によりなされる。第三導電端子８は、第一部分８１と第二部分８２を有している。第三導電端子８の第一部分８１は、第一鍔部２１の外側面２１ｃ（第一鍔部の第三面の一例）に配置されている。第三導電端子８の第二部分８２は、第一鍔部２１の後面２１ｆ（第一鍔部の第六面の一例）に配置されている。図示を省略するが、第二コイル７を形成する第二導線の第一端部は、第二部分８２に接合されている。接合は、はんだ付けや溶接により行なわれる。これにより、第二導線の第一端部は、第三導電端子８と電気的に接続されている。
【００４４】
すなわち、第二導線の第一端部が接合される第三導電端子８の第二部分８２は、第一磁性体コア２の芯部２３の第一端部が配置される第一鍔部２１の内側面２１ａ、および第二磁性体コア３の第一部分３ａが接合される第一鍔部２１の上面２１ｂを避けるように配置されている。これにより、上面２１ｂ全体を第二磁性体コア３の第一部分３ａとの接合に利用でき、第一鍔部２１と第二磁性体コア３との接合面積が増大する。したがって、コモンモードチョークコイル機能を有するインダクタ１に対する小型化の要求に応えつつ、インダクタンス値を増大させることが可能である。また、第三導電端子８の第二部分８２は、第二磁性体コア３および第一コイル４に対向する領域を避けるように配置されている。そのため、第二導線の第一端部との接合に供される領域を広く確保できる。これにより、接合作業性が向上するのみならず、外部からの荷重に対する強度が向上する。したがって、コモンモードチョークコイル機能を有するインダクタ１の信頼性を向上できる。
【００４５】
図６の（ｂ）は、インダクタ１を左後方から見た外観を示す斜視図である。インダクタ１は、第四導電端子９を備えている。第四導電端子９は、第一磁性体コア２の第二鍔部２２に装着されている。第四導電端子９の第二鍔部２２への装着は、接着や溶着によりなされる。第四導電端子９は、第一部分９１と第二部分９２を有している。第四導電端子９の第一部分９１は、第二鍔部２２の外側面２２ｃ（第二鍔部の第三面の一例）に配置されている。第四導電端子９の第二部分９２は、第二鍔部２２の後面２２ｆ（第二鍔部の第六面の一例）に配置されている。図示を省略するが、第二コイル７を形成する第二導線の第二端部は、第二部分９２に接合されている。接合は、はんだ付けや溶接により行なわれる。これにより、第二導線の第二端部は、第四導電端子９と電気的に接続されている。
【００４６】
すなわち、第二導線の第二端部が接合される第四導電端子９の第二部分９２は、第一磁性体コア２の芯部２３の第二端部が配置される第二鍔部２２の内側面２２ａ、および第二磁性体コア３の第二部分３ｂが接合される第二鍔部２２の上面２２ｂを避けるように配置されている。これにより、上面２２ｂ全体を第二磁性体コア３の第二部分３ｂとの接合に利用でき、第二鍔部２２と第二磁性体コア３との接合面積が増大する。したがって、コモンモードチョークコイル機能を有するインダクタ１に対する小型化の要求に応えつつ、インダクタンス値を増大させることが可能である。また、第四導電端子９の第二部分９２は、第二磁性体コア３および第一コイル４に対向する領域を避けるように配置されている。そのため、第一導線の第二端部との接合に供される領域を広く確保できる。これにより、接合作業性が向上するのみならず、外部からの荷重に対する強度が向上する。したがって、コモンモードチョークコイル機能を有するインダクタ１の信頼性を向上できる。
【００４７】
第三導電端子８は、第二導電端子６と同一の構成を有している。よって、図３の（ｂ）を参照しつつ、第三導電端子８の構成について説明する。
【００４８】
第三導電端子８の第一部分８１は、上下方向に延びている。第三導電端子８の第二部分８２は、第一部分８１から右方に延びている。第二部分８２の先端部８２ａは、第二部分８２の基端部８２ｂよりも上下方向について大きな寸法を有する部分を含んでいる。
【００４９】
図７の（ａ）は、第三導電端子８が装着されていない状態の第一磁性体コア２を、左後方から見た外観を示す斜視図である。第一鍔部２１の後面２１ｆは、凹部２１ｆ１を有している。図６の（ａ）に示すように、第三導電端子８が第一鍔部２１に装着されたとき、第三導電端子８の第二部分８２は、凹部２１ｆ１内に配置されている。
【００５０】
このような構成によれば、第二導線の第一端部との接合に供される第三導電端子８の第二部分８２は、第一鍔部２１の後面２１ｆより凹んだ位置に配置される。これにより、外部からの荷重が第二導線の第一端部との接合部に直接加わる可能性を低減できる。したがって、コモンモードチョークコイル機能を有するインダクタ１に対する小型化の要求に応えつつインダクタンス値を増大させることが可能な配置を採用しながらも、外部からの荷重に対するインダクタ１の信頼性をより向上できる。
【００５１】
第四導電端子９は、第一導電端子５と同一の構成を有している。よって、図３の（ａ）を参照しつつ、第四導電端子９の構成について説明する。
【００５２】
第四導電端子９の第一部分９１は、上下方向に延びている。第四導電端子９の第二部分９２は、第一部分９１から右方に延びている。第二部分９２の先端部９２ａは、第二部分９２の基端部９２ｂよりも上下方向について大きな寸法を有する部分を含んでいる。
【００５３】
図７の（ｂ）は、第四導電端子９が装着されていない状態の第一磁性体コア２を、右後方から見た外観を示す斜視図である。第二鍔部２２の後面２２ｆは、凹部２２ｆ１を有している。図６の（ｂ）に示すように、第四導電端子９が第二鍔部２２に装着されたとき、第四導電端子９の第二部分９２は、凹部２２ｆ１内に配置されている。
【００５４】
このような構成によれば、第二導線の第二端部との接合に供される第四導電端子９の第二部分９２は、第二鍔部２２の後面２２ｆより凹んだ位置に配置される。これにより、外部からの荷重が第二導線の第二端部との接合部に直接加わる可能性を低減できる。したがって、コモンモードチョークコイル機能を有するインダクタ１に対する小型化の要求に応えつつインダクタンス値を増大させることが可能な配置を採用しながらも、外部からの荷重に対するインダクタ１の信頼性をより向上できる。
【００５５】
図３の（ｂ）に示すように、第三導電端子８は、第三部分８３を有している。図６の（ａ）に示すように、第三導電端子８の第三部分８３は、第一磁性体コア２における第一鍔部２１の下面２１ｅ（第一鍔部の第五面の一例）に配置されている。
【００５６】
このような構成によれば、第三導電端子８は、第一磁性体コア２の第一鍔部２１に対して３つの面を介して固定される。これにより、第三導電端子８の位置決め精度が向上するのみならず、外部からの荷重に対する剛性が向上する。したがって、コモンモードチョークコイル機能を有するインダクタ１に対する小型化の要求に応えつつインダクタンス値を増大させることが可能な配置を採用しながらも、外部からの荷重に対するインダクタ１の信頼性をより向上できる。
【００５７】
図３の（ａ）に示すように、第四導電端子９は、第三部分９３を有している。図６の（ｂ）に示すように、第四導電端子９の第三部分９３は、第一磁性体コア２における第二鍔部２２の下面２２ｅ（第二鍔部の第五面の一例）に配置されている。
【００５８】
このような構成によれば、第四導電端子９は、第一磁性体コア２の第二鍔部２２に対して３つの面を介して固定される。これにより、第四導電端子９の位置決め精度が向上するのみならず、外部からの荷重に対する剛性が向上する。したがって、コモンモードチョークコイル機能を有するインダクタ１に対する小型化の要求に応えつつインダクタンス値を増大させることが可能な配置を採用しながらも、外部からの荷重に対するインダクタ１の信頼性をより向上できる。
【００５９】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【００６０】
上記の実施形態においては、第一コイル４と第二コイル７を備えることによりコモンモードチョークコイル機能を有するインダクタ１が例示されている。しかしながら、インダクタ１の仕様に応じて、第二コイル７は省略されうる。この場合、第二コイル７を形成する第二導線が電気的に接続される第三導電端子８と第四導電端子９も省略される。
【００６１】
上記の実施形態においては、第一導電端子５の第一部分５１が第一鍔部２１の外側面２１ｃに配置され、第一導電端子５の第二部分５２が第一鍔部２１の前面２１ｄに配置されている。第一鍔部２１の前面２１ｄは、外側面２１ｃより内側面２１ａに近い。このような構成によれば、第一導電端子５の第二部分５２が、第一コイル４により近い位置に配置される。したがって、インダクタ１に対する小型化の要求に応えつつインダクタンス値を増大させることが可能な配置を採用しながらも、第一導線の第一端部との接合作業を容易にできる。
【００６２】
しかしながら、第一磁性体コア２の芯部２３の第一端部が配置される第一鍔部２１の内側面２１ａ、および第二磁性体コア３の第一部分３ａが接合される第一鍔部２１の上面２１ｂを避けるように配置されていれば、第一導電端子５の第二部分５２は、第一鍔部２１の外側面２１ｃ（第一鍔部の第四面の一例）に配置されてもよい。この場合、第一導電端子５の第一部分５１は、第一鍔部２１の前面２１ｄあるいは下面２１ｅ（第一鍔部の第三面の一例）に配置される。
【００６３】
上記の実施形態においては、第二導電端子６の第一部分６１が第二鍔部２２の外側面２２ｃに配置され、第二導電端子６の第二部分６２が第二鍔部２２の前面２２ｄに配置されている。第二鍔部２２の前面２２ｄは、外側面２２ｃより内側面２２ａに近い。このような構成によれば、第二導電端子６の第二部分６２が、第一コイル４により近い位置に配置される。したがって、インダクタ１に対する小型化の要求に応えつつインダクタンス値を増大させることが可能な配置を採用しながらも、第一導線の第二端部との接合作業を容易にできる。
【００６４】
しかしながら、第一磁性体コア２の芯部２３の第二端部が配置される第二鍔部２２の内側面２２ａ、および第二磁性体コア３の第二部分３ｂが接合される第二鍔部２２の上面２２ｂを避けるように配置されていれば、第二導電端子６の第二部分６２は、第二鍔部２２の外側面２２ｃ（第二鍔部の第四面の一例）に配置されてもよい。この場合、第二導電端子６の第一部分６１は、第二鍔部２２の前面２２ｄあるいは下面２２ｅ（第二鍔部の第三面の一例）に配置される。
【００６５】
上記の実施形態においては、第三導電端子８の第一部分８１が第一鍔部２１の外側面２１ｃに配置され、第三導電端子８の第二部分８２が第一鍔部２１の後面２１ｆに配置されている。第一鍔部２１の後面２１ｆは、外側面２１ｃより内側面２１ａに近い。このような構成によれば、第三導電端子８の第二部分８２が、第二コイル７により近い位置に配置される。したがって、インダクタ１に対する小型化の要求に応えつつインダクタンス値を増大させることが可能な配置を採用しながらも、第二導線の第一端部との接合作業を容易にできる。
【００６６】
しかしながら、第一磁性体コア２の芯部２３の第一端部が配置される第一鍔部２１の内側面２１ａ、および第二磁性体コア３の第一部分３ａが接合される第一鍔部２１の上面２１ｂを避けるように配置されていれば、第三導電端子８の第二部分８２は、第一鍔部２１の外側面２１ｃ（第一鍔部の第六面の一例）に配置されてもよい。この場合、第一導電端子５の第一部分５１は、第一鍔部２１の後面２１ｆあるいは下面２１ｅ（第一鍔部の第三面の一例）に配置される。
【００６７】
上記の実施形態においては、第四導電端子９の第一部分９１が第二鍔部２２の外側面２２ｃに配置され、第四導電端子９の第二部分９２が第二鍔部２２の後面２２ｆに配置されている。第二鍔部２２の後面２２ｆは、外側面２２ｃより内側面２２ａに近い。このような構成によれば、第四導電端子９の第二部分９２が、第二コイル７により近い位置に配置される。したがって、インダクタ１に対する小型化の要求に応えつつインダクタンス値を増大させることが可能な配置を採用しながらも、第二導線の第二端部との接合作業を容易にできる。
【００６８】
しかしながら、第一磁性体コア２の芯部２３の第二端部が配置される第二鍔部２２の内側面２２ａ、および第二磁性体コア３の第二部分３ｂが接合される第二鍔部２２の上面２２ｂを避けるように配置されていれば、第四導電端子９の第二部分９２は、第二鍔部２２の外側面２２ｃ（第二鍔部の第六面の一例）に配置されてもよい。この場合、第四導電端子９の第一部分９１は、第二鍔部２２の後面２２ｆあるいは下面２２ｅ（第二鍔部の第三面の一例）に配置される。
【００６９】
第一導電端子５には絡げ部が形成されうる。この場合、第一コイル４を形成する第一導線の第一端部を当該絡げ部に巻き付けた後で、はんだ付けや溶接が行なわれる。
【００７０】
第二導電端子６には絡げ部が形成されうる。この場合、第一コイル４を形成する第一導線の第二端部を当該絡げ部に巻き付けた後で、はんだ付けや溶接が行なわれる。
【００７１】
第三導電端子８には絡げ部が形成されうる。この場合、第二コイル７を形成する第二導線の第一端部を当該絡げ部に巻き付けた後で、はんだ付けや溶接が行なわれる。
【００７２】
第四導電端子９には絡げ部が形成されうる。この場合、第二コイル７を形成する第二導線の第二端部を当該絡げ部に巻き付けた後で、はんだ付けや溶接が行なわれる。
【符号の説明】
【００７３】
１：インダクタ、２：第一磁性体コア、２１：第一鍔部、２１ａ：内側面、２１ｂ：上面、２１ｃ：外側面、２１ｄ：前面、２１ｄ１：凹部、２１ｅ：下面、２１ｆ：後面、２１ｆ１：凹部、２２：第二鍔部、２２ａ：内側面、２２ｂ：上面、２２ｃ：外側面、２２ｄ：前面、２２ｄ１：凹部、２２ｅ：下面、２２ｆ：後面、２２ｆ１：凹部、２３：芯部、３：第二磁性体コア、３ａ：第一部分、３ｂ：第二部分、４：第一コイル、５：第一導電端子、５１：第一部分、５２：第二部分、５３：第三部分、６：第二導電端子、６１：第一部分、６２：第二部分、６３：第三部分、７：第二コイル、８：第三導電端子、８１：第一部分、８２：第二部分、８３：第三部分、９：第四導電端子、９１：第一部分、９２：第二部分、９３：第三部分
【図１】
2016076593.tif 000003
【図２】
2016076593.tif 000004
【図３】
2016076593.tif 000005
【図４】
2016076593.tif 000006
【図５】
2016076593.tif 000007
【図６】
2016076593.tif 000008
【図７】
2016076593.tif 000009